(57)【要約】【課題】  本体内部の充電制御素子の発熱を抑えること。【解決手段】  ＡＣアダプタ（１０Ａ）の二次側回路に設けられた−ΔＩ検出回路（４５）は、充電電流（Ｉc）が設定電流値以下に減少したことを検出して検出信号を出力する。電圧制御回路（４２Ａ）は、アダプタ電圧（ＶＡＤＰ）を徐々に落とす工程と、検出信号に応答して一旦アダプタ電圧を上昇させる工程とを繰り返すように動作する。【選択図】      図６
2005045994.tif 000002
【特許請求の範囲】
【請求項１】
本体に内蔵又は装着された二次電池を充電するために用いられるＡＣアダプタであって、トランスの一次巻線に印加される入力直流電圧をスイッチング素子によりオンオフする一次側回路と、前記トランスの二次巻線に誘起されるＡＣ電圧を整流平滑してアダプタ電圧を出力する二次側回路と、前記アダプタ電圧の変化を検出して電圧制御信号を出力する電圧制御回路と、前記二次側回路を流れる充電電流を検出して定電流制御信号を出力する定電流制御回路と、前記電圧制御信号および前記定電流制御信号を帰還信号として前記一次側回路へ帰還するフォトカプラと、前記帰還信号に応答して前記スイッチング素子のオンオフを制御するスイッチング制御回路とを備えたＡＣアダプタにおいて、
前記二次側回路に設けられて、前記充電電流が設定電流値以下に減少したことを検出して検出信号を出力する検出手段を備え、
前記電圧制御回路は、前記アダプタ電圧を徐々に落とし、前記検出信号に応答して一旦前記アダプタ電圧を上昇させる動作を繰り返すように動作することを特徴とするＡＣアダプタ。
【請求項２】
前記電圧制御回路に基準電圧を供給するための基準電圧発生回路をさらに有し、該基準電圧発生回路は前記基準電圧を可変できるように構成されており、前記基準電圧発生回路が前記基準電圧を可変することによって前記電圧制御回路は前記アダプタ電圧を変化させるように制御することを特徴とする、請求項１に記載のＡＣアダプタ。
【請求項３】
少なくとも前記二次電池の満充電検出後の待機状態で、前記繰り返し動作を停止する電流監視回路をさらに備えることを特徴とする、請求項１又は請求項２に記載のＡＣアダプタ。
【請求項４】
前記電流監視回路は、前記充電電流が前記満充電検出時の電流値に所定の値を加算した充電電流値に達したときに、前記繰り返し動作を停止する、請求項３に記載のＡＣアダプタ。
【請求項５】
前記電圧制御回路、前記定電流制御回路、前記検出手段、前記基準電圧発生回路、および前記電流監視回路が、集積回路で構成されている、請求項４に記載のＡＣアダプタ。
【請求項６】
前記充電電流が付加設定電流値以上に増加したことを検出して付加検出信号を出力する付加検出手段と、
前記付加検出信号に応答して、前記検出手段における前記設定電流値を変更する手段と
を更に備えることを特徴とする、請求項１又は請求項２に記載のＡＣアダプタ。
【請求項７】
前記アダプタ電圧が所定のしきい値以上になった場合に、前記検出信号による前記アダプタ電圧の上昇を抑制する手段を更に備えることを特徴とする、請求項６に記載のＡＣアダプタ。
【請求項８】
前記電圧制御回路、前記定電流制御回路、前記検出手段、前記基準電圧発生回路、および前記付加検出手段が、集積回路で構成されている、請求項７に記載のＡＣアダプタ。
【請求項９】
前記本体が携帯電話機である、請求項１乃至８のいずれか１つに記載のＡＣアダプタ。
【請求項１０】
本体に内蔵又は装着された二次電池をアダプタ電圧で充電する方法であって、
ａ）前記アダプタ電圧を徐々に落とすステップと、
ｂ）前記二次電池への充電電流が設定電流値以下に減少したことを検出すると、前記アダプタ電圧を一旦上昇させるステップと、
ｃ）ステップａ）、ｂ）を繰り返すステップと
を含む充電方法。
【発明の詳細な説明】
【技術分野】
【０００１】
本発明は、ＡＣアダプタに関する。
【背景技術】
【０００２】
この種のＡＣアダプタは、携帯電話機などの本体に内蔵又は装着された二次電池を充電するために用いられる。二次電池はリチウムイオン電池であって良い。
【０００３】
図１に、ＡＣアダプタ１０が携帯電話機などの本体２０に接続された状態を示す。ＡＣアダプタ１０は、抵抗値を持つケーブルを介して本体２０に接続されている。ＡＣアダプタ１０は、陽極（カソード）１１と陰極（アノード）１２とを持ち、その端子間にアダプタ電圧ＶＡＤＰを発生している。
【０００４】
一方、本体２０は、逆流防止ダイオードＤと、トランジスタなどの充電制御素子Ｑと、二次電池２１と、充電制御回路２２とを有する。充電制御回路２２は、充電制御素子Ｑを制御することによって、二次電池２１の充電を制御する。充電制御回路２２は、図示はしないが、その内部にレギュレータを持っている。二次電池２１は電池電圧（充電電圧）ＶＢＡＴＴを発生している。
【０００５】
図２に示されるように、ＡＣアダプタのＶ−Ｉ特性は、定電流／定電圧特性をしている。
【０００６】
本体２０の二次電池２１を充電制御する場合、定電圧については、図１から明らかなように、ＡＣアダプタ１０と二次電池２１との間に、ケーブルロス、接触抵抗によるロス、逆流防止ダイオードＤのＶfなどがあるので、充電電圧ＶＢＡＴＴの精度が出ない。その為、上述したように、充電制御回路２２はレギュレータを持っている。
【０００７】
また、ＡＣアダプタ１０のアダプタ電圧ＶＡＤＰは、上記の電圧ロスを発生する要因が最大にばらついても充電できる電圧を供給できるように、高めの電圧設定になっている。
【０００８】
この種のＡＣアダプタは、トランスの一次巻線に印加される直流電圧をスイッチング素子によりオンオフする一次側回路と、トランスの二次巻線に誘起される電流を整流平滑化して二次側出力電圧を出力する二次側回路とを備えている。
【０００９】
このようなＡＣアダプタにおいては、一次側回路と二次側回路とは、感電などの事故を防ぐために、電気的に絶縁分離されている必要がある。電気的に絶縁分離する手段としては、一般に、フォトカプラ又は絶縁トランスが使用される。また、ＡＣアダプタにおいては、定電流制御と定電圧制御とを行う必要がある。このため、二次側回路で流れる電流の変化を定電流制御信号として、又、二次側出力電圧の変化を定電圧制御信号として一次側回路に戻す必要がある。この場合、定電流制御信号と定電圧制御信号とは、二次側回路からフォトカプラを介して一次側回路に戻される（帰還される）。
【００１０】
以下、図３を参照して、従来のＡＣアダプタについて説明する。図示のスイッチング式ＡＣアダプタは、一次側回路として、整流／平滑回路３１、トランスＴの一次巻線Ｎp、スイッチング制御回路３２、およびスイッチング（ＳＷ）素子３３を含む。
【００１１】
ＡＣ電源から供給される入力ＡＣ電圧は、整流／平滑回路３１で整流／平滑化され、入力直流電圧に変換される。この入力直流電圧は、トランスＴの一次巻線Ｎpに印加され、スイッチング素子３３によってオンオフされる。このスイッチング素子３３のオンオフは、スイッチング制御回路３２から供給されるオンオフ制御信号によって制御される。
【００１２】
また、図示のＡＣアダプタ回路は、二次側回路として、トランスＴの二次巻線Ｎsおよび整流／平滑回路４１を含む。トランスＴの二次巻線Ｎsに誘起されたＡＣ電圧は、整流／平滑回路４１で整流／平滑化され、アダプタ電圧ＶＡＤＰを出力する。
【００１３】
二次側回路には、定電圧制御回路４２、定電流制御回路４３、および基準電圧発生回路４４が設けられている。定電圧制御回路４２は、アダプタ電圧ＶＡＤＰの変化を検出して、定電圧制御信号を出力する。この定電圧制御信号は、オアゲートＧおよびフォトカプラＰＣを介して帰還信号として一次側回路に設けられたスイッチング制御回路３２へ帰還される。定電流制御回路４３は、二次側回路を流れる電流を検出して、定電流制御信号を出力する。この定電流制御信号も、オアゲートＧおよびフォトカプラＰＣを介して帰還信号として一次側回路に設けられたスイッチング制御回路３２へ帰還される。基準電圧発生回路４４は、定電圧制御回路４２および定電流制御回路４３へ基準電圧を供給するためのものである。
【００１４】
アノード１２には、抵抗器Ｒ１、Ｒ２の一端が接続されており、抵抗器Ｒ１の他端および抵抗器Ｒ２の他端は定電流制御回路４３に接続されている。また、カソード１１と抵抗器Ｒ２の他端との間には、アダプタ電圧ＶＡＤＰを分圧するための抵抗器Ｒ３、Ｒ４が直列に接続されている。抵抗器Ｒ３とＲ４との接続点からはアダプタ電圧ＶＡＤＰの分圧電圧が定電圧制御回路４２に供給されている。基準電圧発生回路４４はカソード１１に接続されており、基準電圧発生回路４４と抵抗器Ｒ２の他端との間には、基準電圧を分圧するための抵抗器Ｒ５、Ｒ６が直列に接続されている。抵抗器Ｒ５とＲ６との接続点からは、基準電圧の分圧電圧が定電流制御回路４３に供給されている。
【００１５】
尚、トランスＴには補助巻線ＮＢが巻き回されており、補助巻線ＮＢの一端は、スイッチング素子３３、整流／平滑回路３１及びスイッチング制御回路３２に接続され、補助巻線ＮＢの他端は、スイッチング制御回路３２およびフォトカプラＰＣのフォトトランジスタのコレクタに接続されている。
【００１６】
とにかく、従来のＡＣアダプタ１０では、固定の基準電圧を用いて定電圧制御を行っている。
【００１７】
図４に従来のＡＣアダプタ１０の充電特性を示す。横軸に時間ｔ［ｈ］を、縦軸に電圧Ｖ，電流Ｉを示している。電池電圧ＶＢＡＴＴが低い間は、一定の充電電流Ｉcで充電され、電池電圧ＶＢＡＴＴが所定の電圧に達すると定電圧充電が行われる。図４に示されるように、アダプタ電圧ＶＡＤＰは電池電圧ＶＢＡＴＴより常に高い。
【発明の開示】
【発明が解決しようとする課題】
【００１８】
しかしながら、従来のＡＣアダプタ１０の構成では、定電圧充電領域において、アダプタ電圧ＶＡＤＰと電池電圧ＶＢＡＴＴとの間に高い電圧差ΔＶ’が発生し、本体２０内部の充電制御トランジスタ（充電制御素子）Ｑを発熱させるという問題がある。なお、この跳ね上がり電圧（ΔＶ’−ΔＶ）は、機種・製品により異なるが約０．５Ｖ程度である。
【００１９】
次に、図５を参照して、定電流充電領域から定電圧充電領域に切り変わるときに、電圧の跳ね上がりが発生する理由について説明する。図５（Ａ），（Ｂ），（Ｃ）では、ＡＣアダプタ１０のＶ−Ｉ特性を太い実線で、充電制御回路２２のＶ−Ｉ特性を細い実線で示している。
【００２０】
図５（Ａ）に示されるように、電池電圧ＶＢＡＴＴが低いときには、定電流充電状態にあり、電池電圧ＶＢＡＴＴとアダプタ電圧ＶＡＤＰとは最低限必要な電位差ΔＶをもって徐々に上昇していく。
【００２１】
図５（Ｂ）に示されるように、充電が進行し、電池電圧ＶＢＡＴＴが充電制御回路２２のＶ−Ｉ特性の角（充電制御モードが定電流充電制御モードから定電圧充電制御モードに切り換わる時点）に来るまでは、電池電圧ＶＢＡＴＴとアダプタ電圧ＶＡＤＰとは最低限必要な電位差ΔＶをもって徐々に上昇していく。
【００２２】
図５（Ｃ）に示されるように、電池電圧ＶＢＡＴＴが充電制御回路２２のＶ−Ｉ特性の定電圧部分に入ったとする。この場合、ＡＣアダプタ１０の充電電流Ｉcと二次電池２１を流れる充電電流とは同じなので、自ずと、アダプタ電圧ＶＡＤＰもＡＣアダプタ１０のＶ−Ｉ特性の定電圧充電領域に入る。このため、アダプタ電圧ＶＡＤＰは、図５（Ｂ）から図５（Ｃ）のポイントに、跳ね上がることになる。
【００２３】
これが、定電圧充電領域において、アダプタ電圧ＶＡＤＰと電池電圧ＶＢＡＴＴとの間に高い電圧差ΔＶ’が発生する理由である。
【００２４】
特に、図２に示すＡ点（定電流充電領域から定電圧充電領域に切り換わる点）においては、充電電流Ｉcが最大であるので、充電制御トランジスタ（充電制御素子）Ｑの発熱が最大となるポイントである。
【００２５】
したがって、本発明の課題は、本体内部の充電制御素子の発熱を抑えることができる、ＡＣアダプタを提供することにある。
【課題を解決するための手段】
【００２６】
本発明によれば、本体（２０）に内蔵又は装着された二次電池（２１）を充電するために用いられるＡＣアダプタ（１０Ａ；１０Ｂ）であって、トランス（Ｔ）の一次巻線（Ｎp）に印加される入力直流電圧をスイッチング素子（３３）によりオンオフする一次側回路と、トランスの二次巻線（Ｎs）に誘起されるＡＣ電圧を整流平滑してアダプタ電圧（ＶＡＤＰ）を出力する二次側回路と、アダプタ電圧の変化を検出して電圧制御信号を出力する電圧制御回路（４２Ａ）と、二次側回路を流れる充電電流を検出して定電流制御信号を出力する定電流制御回路（４３）と、電圧制御信号および定電流制御信号を帰還信号として一次側回路へ帰還するフォトカプラ（ＰＣ）と、帰還信号に応答してスイッチング素子のオンオフを制御するスイッチング制御回路（３２）とを備えたＡＣアダプタにおいて、二次側回路に設けられて、充電電流が設定電流値以下に減少したこと（−ΔＩ)を検出して検出信号を出力する検出手段（４５；４５Ａ）を備え、電圧制御回路（４２Ａ）は、アダプタ電圧を徐々に落とし、検出信号に応答して一旦アダプタ電圧を上昇させる動作を繰り返すように動作することを特徴とするＡＣアダプタが得られる。
【００２７】
上記ＡＣアダプタ（１０Ａ；１０Ｂ）において、電圧制御回路（４２Ａ）に基準電圧を供給するための基準電圧発生回路（４４Ａ；４４Ｂ）をさらに有し、この基準電圧発生回路は基準電圧を可変できるように構成されており、基準電圧発生回路（４４Ａ；４４Ｂ）が基準電圧を可変することによって、電圧制御回路（４２Ａ）はアダプタ電圧（ＶＡＤＰ）を変化させるように制御する。
【００２８】
また、上記ＡＣアダプタ（１０Ｂ）は、少なくとも二次電池（２１）の満充電検出後の待機状態で、上記繰り返し動作を停止する電流監視回路（５１）をさらに備えることが好ましい。この電流監視回路（５１）は、充電電流（Ｉc）が満充電検出時の電流値に所定の値を加算した充電電流値に達したときに、繰り返し動作を停止することがより望ましい。上記ＡＣアダプタ（１０Ｂ）は、充電電流（Ｉc）が付加設定電流値以上に増加したこと（＋ΔＩ）を検出して付加検出信号を出力する付加検出手段（５４）と、この付加検出信号に応答して、検出手段における設定電流値を変更する手段（５７、５５）とを更に備えることが好ましい。さらに、アダプタ電圧（ＶＡＤＰ）が所定のしきい値以上になった場合に、検出信号によるアダプタ電圧の上昇を抑制する手段（５８，５２）を更に備えることが望ましい。尚、本体は、例えば、携帯電話機であって良い。
【００２９】
また、本発明によれば、本体（２０）に内蔵又は装着された二次電池（２１）をアダプタ電圧（ＶＡＤＰ）で充電する方法であって、ａ）アダプタ電圧を徐々に落とすステップと、ｂ）二次電池への充電電流が設定電流値以下に減少したことを検出する（４５；４５Ａ）と、アダプタ電圧を一旦上昇させる（４２Ａ）ステップと、ｃ）ステップａ）、ｂ）を繰り返すステップとを含む充電方法が得られる。
【００３０】
尚、上記括弧内の符号は、本発明の理解を容易にするために付したものであり、一例にすぎず、これらに限定されないのは勿論である。
【発明の効果】
【００３１】
本発明では、アダプタ電圧を徐々に下げ、充電電流が急激に減少したら、アダプタ電圧を一旦上昇させる、という動作を繰り返して二次電池の充電を行うようにしたので、定電流充電時のアダプタ電圧と電池電圧との電位差である必要最低限の電圧を保ったまま、定電圧充電を行うことができる。この結果、本体内部の充電制御素子の発熱を抑えることができる、という作用効果を奏する。
【００３２】
又、上記動作は出力電圧自動調整機能である為、従来は各社それぞれの本体に対して専用のアダプタがあり、出力電圧等が違うためコネクタ等を変えて誤接続防止を行っていたが、本発明においては全ての本体に一つのＡＣアダプタを共通で使用でき、ＡＣアダプタの共通化が可能である。
【００３３】
また、二次電池の満充電検出後の待機状態で繰り返し動作を停止するようにしているので、待機状態でアダプタ電圧が低下するのを防止することができる。
【００３４】
さらに、充電電流が、満充電検出時の電流値に所定の値を加算した充電電流値に達したところで、繰り返し動作を停止するようにしているので、満充電を精度良く検出することができる。
【００３５】
充電電流が付加設定電流値以上に増加したときに、検出手段における設定電流値を変更するようにしているので、負荷電流を必要としているときにも十分な電流を流すことができる。
【００３６】
アダプタ電圧が所定のしきい値以上になった場合に、検出信号によるアダプタ電圧の上昇を抑制するようにしているので、パルス的な負荷が印加されても過電圧になるのを防止することができる。
【発明を実施するための最良の形態】
【００３７】
以下、図面を参照して、本発明の実施の形態について詳細に説明する。
【００３８】
図６を参照して、本発明の第１の実施の形態に係るＡＣアダプタ１０Ａについて説明する。図示のＡＣアダプタ１０Ａは、従来の基準電圧発生回路（以下、「第１の基準電圧発生回路」ともいう）４４に加えて第２の基準電圧発生回路４４Ａをも使用すると共に定電圧制御回路４２の代わりに電圧制御回路４２Ａを使用し、さらに−ΔＩ検出回路４５が付加された点を除いて、図３に示した従来のＡＣアダプタ１０と同様の構成を有する。図３に示した構成要素と同様の機能を有するものには同一の参照符号を付して、説明の簡略化のためにそれらの説明については省略する。
【００３９】
第２の基準電圧発生回路４４Ａは、充電状態における基本動作として、徐々に第２の基準電圧を下げるように電圧調整を行う。この第２の基準電圧の降下に応答して、電圧制御回路４２Ａはアダプタ電圧ＶＡＤＰを下げるように制御する。
【００４０】
−ΔＩ検出回路４５は、抵抗器Ｒ７を介してアノード１２に接続されている。−ΔＩ検出回路４５は、充電電流Ｉcが設定電流値以下に減少したことを検出して、検出信号を第２の基準電圧発生回路４４Ａへ供給する。
【００４１】
第２の基準電圧発生回路４４Ａは、この検出信号に応答して、一旦第２の基準電圧を所定電圧だけ上昇させる。この第２の基準電圧の上昇に応答して、電圧制御回路４２は、一旦アダプタ電圧ＶＡＤＰを所定電圧だけ上昇させるように動作する。
【００４２】
以下、図６に加えて図７をも参照して、ＡＣアダプタ１０Ａの動作について説明する。図７は図６に図示したＡＣアダプタ１０Ａの充電特性を示す図である。横軸に時間ｔ［ｈ］を、縦軸に電圧Ｖ，電流Ｉを示している。
【００４３】
定電流充電領域では、定電流制御回路４３は常に充電電流Ｉcを監視している。そして、この充電電流Ｉcが一定となるように、定電流制御回路４３は定電流制御信号を出力する。この定電流制御信号はオアゲートＧおよびフォトカプラＰＣを介して帰還信号として一次側回路のスイッチング制御回路３２へ帰還される。
【００４４】
このとき、電圧制御回路４２Ａは、第２の基準電圧発生回路４４Ａから供給される第２の基準電圧に応答して、徐々にアダプタ電圧ＶＡＤＰを下げるようにする。この時点では、充電電流Ｉcは一定値を維持している。しかしながら、アダプタ電圧ＶＡＤＰと電池電圧ＶＢＡＴＴとの電位差（ＶＡＤＰ−ＶＢＡＴＴ）が必要最低限の電圧ΔＶを割り込むと、充電電流Ｉcが流せなくなり、充電電流Ｉcは急激に減少する。この充電電流Ｉcの急激な減少により設定電流値以下となったことを−ΔＩ検出回路４５が検出すると、−ΔＩ検出回路４５は検出信号を第２の基準電圧発生回路４４Ａに供給する。この検出信号に応答して、第２の基準電圧発生回路４４Ａは第２の基準電圧を一旦所定電圧だけ上昇させる。定電圧制御回路４２Ａは、この第２の基準電圧の上昇に応答して、アダプタ電圧ＶＡＤＰを一旦所定電圧だけ上昇させるように動作する。
【００４５】
以降、これを繰り返しながら、二次電池２１の充電が行われる。これにより、常に必要最低限電位差ΔＶを保持することができる。尚、繰り返し周期は、例えば約１００ミリ秒であり、上昇させる所定電圧は、例えば約１００ｍＶである。また、充電電流Ｉcの急激な減少の値は、例えば３０〜５０ｍＡの範囲である。
【００４６】
このため、従来のＡＣアダプタ１０においては、定電圧充電領域では、アダプタ電圧ＶＡＤＰは規定の電圧値をもっていたが（図４参照）、本実施の形態によるＡＣアダプタ１０Ａでは、随時必要最低限電位差ΔＶに調整しながら充電している。このため、本実施の形態によるＡＣアダプタ１０Ａにおいては、従来のＡＣアダプタ１０において問題となっていた、定電流充電領域から定電圧充電領域に移行する際のアダプタ電圧ＶＡＤＰの跳ね上がりが発生しない。換言すれば、本実施の形態によるＡＣアダプタ１０Ａは、定電流充電時のアダプタ電圧ＶＡＤＰと電池電圧ＶＢＡＴＴとの電位差（ＶＡＤＰ−ＶＢＡＴＴ）である必要最低限の電圧ΔＶを保ったまま、定電圧充電を行う。この結果、本体２０内部の充電制御素子Ｑの発熱を抑えることができる。
【００４７】
次に、図８を参照して、本発明の第２の実施の形態に係るＡＣアダプタ１０Ｂについて説明する。但し、図８では、一次側回路は従来のものと変わりがないので、その図示を省略してある。図６に示した構成要素と同様の機能を有するものには同一の参照符号を付して、以下では、説明の簡略化のために、相違する点についてのみ説明する。
【００４８】
上述した本発明の第１の実施の形態に係るＡＣアダプタ１０Ａでは、充電電流Ｉcが流れていないときは、−ΔＩ検出回路４５は−ΔＩの検出を行えない。そのため、図９に示されるように、アダプタ電圧ＶＡＤＰは徐々に低下してしまう。
【００４９】
そこで、ＡＣアダプタ１０Ｂは、図１０に示されるように、満充電検出後の待機状態で、従来のＡＣアダプタ１０と同等のアダプタ電圧ＶＡＤＰを出力する電流監視回路５１を備えている。すなわち、本体２０が接続され、充電電流Ｉcが所定の設定値以上流れた時に、電流監視回路５１は、図６に図示したＡＣアダプタ１０Ａにおける方式による制御（以下、「繰り返し制御」という。）を開始する。一方、充電電流Ｉcの値が所定の設定値以下になったときに、電流監視回路５１は、上記繰り返し制御を停止し、再度、図３に図示された従来のＡＣアダプタ１０と同等のアダプタ電圧ＶＡＤＰを出力する。とにかく、電流監視回路５１は、少なくとも二次電池２１の満充電検出後の待機状態で、繰り返し動作を停止する。
【００５０】
次に、「満充電検出」について説明する。図１１に示されるように、二次電池２１を充電する場合、二次電池２１が満充電に近くなると、定電圧充電モードで二次電池２１の充電を行い、充電電流Ｉcは徐々に減少する。充電電流Ｉcが限りなく零に近づくほど、満充電の状態になる。しかしながら、充電電流Ｉcの値が小さくなるので、充電時間は長くなる。よって、図１２に示されるように、充電電流Ｉcの電流値がある程度小さくなったところで満充電と判断し、二次電池２１の充電を終了させる。このときの充電電流Ｉｃの電流値の検出値を満充電検出設定電流値と呼ぶ。
【００５１】
尚、これは本体（携帯電話機）２０側の制御であって、ＡＣアダプタの制御ではない。
【００５２】
一方、このような充電制御を本体（携帯電話機）２０側で行っているとする。そして、図６に図示されているＡＣアダプタ１０Ａを使用して充電を行ったとする。換言すれば、ＡＣアダプタ１０Ａを使用して満充電を検出するまで、上記繰り返し制御を行ったとする。
【００５３】
この場合、繰り返し制御時は、常に−ΔＩ検出回路４５は−ΔＩの検出を行っているので、満充電を検出するまで繰り返し制御を行うと、図１３に示されるように、従来のＡＣアダプタ１０の検出よりも早く満充電を検出してしまう。
【００５４】
その対策として、図示の電流監視回路５１は、図１４に示されるように、満充電検出設定電流値より、ある電圧分上乗せした値で、上記繰り返し制御を停止させ、−ΔＩの振れを無くし、従来のＡＣアダプタ１０と同等の動作状態としている。これにより、従来同様の満充電検出が可能となる。とにかく、電流監視回路５１は、充電電流Ｉcが満充電検出時の電流値に所定の値を加算した充電電流値に達したときに、繰り返し動作を停止する。
【００５５】
図１５にＡＣアダプタ１０Ｂの動作を示す。図１５は、図８に図示したＡＣアダプタ１０Ｂの充電特性を示す図である。横軸に時間ｔ［ｈ］を、縦軸に電圧Ｖ、電流Ｉを示している。
【００５６】
図１５に示されるように、本体２０の満充電検出電流値よりある値を上乗せした充電電流値に達したとことで、上記繰り返し制御を止め、そのときのアダプタ電圧ＶＡＤＰを維持するようにしている。これにより、本体２０の満充電付近で、繰り返し制御による充電電流Ｉcの−ΔＩの振れが無くなり、満充電を精度良く検出することができる。
【００５７】
電流監視回路５１は、制御開始／停止の制御信号を第２の基準電圧発生回路４４Ｂへ送出する。
【００５８】
図１６に電流監視回路５１の構成を示す。電流監視回路５１は、電流検出抵抗Ｒ１１と、増幅回路５１１と、電流監視比較判定回路５１２とを有する。電流検出抵抗Ｒ１１は、充電電流Ｉcを検出するためものである。換言すれば、電流検出抵抗Ｒ１１は、充電電流Ｉcを検出電圧に変換する。電流検出抵抗Ｒ１１は、電力損失を避けるために小さい値であるので、検出電圧も小さい値である。そのため、この検出電圧を増幅回路５１１で増幅する。
【００５９】
増幅回路５１１は、抵抗Ｒ１２、Ｒ１３、Ｒ１４と演算増幅器Ａ１とを有する。電流検出抵抗Ｒ１１の一端は、抵抗Ｒ１２を介して演算増幅器Ａ１の非反転入力端子に接続され、電流検出抵抗Ｒ１１の他端は、抵抗Ｒ１３を介して演算増幅器Ａ１の反転入力端子に接続されている。演算増幅器Ａ１の反転入力端子は、抵抗Ｒ１４を介して演算増幅器Ａ１の出力端子に接続されている。増幅回路５１１は、検出電圧を増幅して、増幅した検出電圧Ｖａを出力する。この増幅した検出電圧Ｖａは電流監視比較判定回路５１２に供給される。
【００６０】
電流監視比較判定回路５１２は、抵抗Ｒ１５、Ｒ１６、Ｒ１７、Ｒ１８と、演算増幅器Ａ２と、アナログスイッチＳＷ１とから構成されている。演算増幅器Ａ２の反転入力端子には、増幅した検出電圧Ｖａが供給される。抵抗Ｒ１５、Ｒ１６、Ｒ１７は、直列接続されたブリーダ抵抗であって、基準電圧Ｖrefを分圧して、抵抗Ｒ１５とＲ１６との接続点から分圧した電圧Ｖｂを出力する。この分圧した電圧Ｖｂは演算増幅器Ａ２の非反転入力端子に供給される。抵抗Ｒ１６とＲ１７との接続点はアナログスイッチＳＷ１の接点１に接続されている。演算増幅器Ａ２の出力端子は抵抗Ｒ１８を介してアナログスイッチＳＷ１の制御端子に接続されている。アナログスイッチＳＷ１の接点２は接地されている。アナログスイッチＳＷ１は制御端子Highレベルでスイッチoff、制御端子Lowレベルでスイッチonの論理とする。
【００６１】
図示の例では、電流監視比較判定回路５１２は、制御停止の制御信号として論理Highレベルの信号を出力し、制御開始の制御信号として論理Lowレベルの信号を出力する。基準電圧Ｖrefをブリーダ抵抗Ｒ１５〜Ｒ１７で抵抗分圧することによって、制御開始／停止のしきい値を設定している。
【００６２】
詳述すると、電流監視比較判定回路５１が、論理Highレベルの制御停止の制御信号を出力しているとする。この場合、アナログスイッチＳＷ１は、オフ状態となっている。したがって、この場合、ブリーダ抵抗Ｒ１５〜Ｒ１７は、分圧電圧Ｖｂとして、Ｖref{(Ｒ１６＋Ｒ１７)／（Ｒ１５＋Ｒ１６＋Ｒ１７）}に等しい電圧を出力する。このときの分圧電圧Ｖｂは、制御開始のしきい値電圧であって、例えば、充電電流Ｉcが３００ｍＡ流れたときに相当する。
【００６３】
電流監視比較判定回路５１が、論理Lowレベルの制御開始の制御信号を出力しているとする。この場合、アナログスイッチＳＷ１は、オン状態となっている。そのため、抵抗Ｒ１７がショートされた状態となる。したがって、この場合、ブリーダ抵抗Ｒ１５〜Ｒ１７は、分圧電圧Ｖｂとして、Ｖref{（Ｒ１６／（Ｒ１５＋Ｒ１６）}に等しい電圧をする。このときの分圧電圧Ｖｂは、制御停止のしきい値電圧であって、例えば、充電電流Ｉcが２００ｍＡ流れたときに相当する。
【００６４】
すなわち、演算増幅器Ａ２の出力端子とブリーダ抵抗Ｒ１５〜Ｒ１７との間に、アナログスイッチＳＷ１を設けることによってヒステリシスをかけ、制御開始のしきい値電圧と制御停止のしきい値電圧とを変えている。
【００６５】
図１７に電流監視回路５１の動作を示す。電流監視回路５１は、充電電流Ｉcが３００ｍＡ以上になった時に制御を開始し、２００ｍＡ以下になった時に制御を停止させる制御開始／停止の制御信号を第２の基準電圧発生回路４４Ｂへ供給する。
【００６６】
また、第２の基準電圧発生回路４４Ｂには、−ΔＩ検出回路４５Ａから−ΔＩ検出信号が過電圧防止回路５２を介して供給される。過電圧防止回路５２は、過電圧を検出していない間は、−ΔＩ検出信号をそのまま出力する。
【００６７】
図１８を参照して、第２の基準電圧発生回路４４Ｂの動作について説明する。制御停止期間（すなわち、電流監視回路５１から論理Highレベルの制御停止の制御信号が供給されている期間）、第２の基準電圧発生回路４４Ｂは第２の基準電圧として定電圧を出力する。本例では、この定電圧は、従来のＡＣアダプタ１０の基準電圧である１．２５Ｖに等しい。
【００６８】
一方、制御期間(すなわち、電流監視回路５１から論理Lowレベルの制御開始の制御信号が供給されている期間）、第２の基準電圧発生回路４４Ｂは次に述べる動作を行う。すなわち、第２の基準電圧発生回路４４Ｂは、定電圧(１．２５Ｖ)から徐々に第２の基準電圧を低下させる。過電圧防止回路５２を通って−ΔＩ検出信号が入力された時、第２の基準電圧発生回路４４Ｂは、設定電圧だけ第２の基準電圧を上昇させる。−ΔＩ検出信号が入力された後は、第２の基準電圧発生回路４４Ｂは、次の−ΔＩ検出信号が入力されるまで、再度、徐々に第２の基準電圧を低下させる。
【００６９】
第３の基準電圧発生回路５３は、第３の基準電圧Ｖrefを発生する。この第３の基準電圧Ｖrefは、図１５に示されるように、電流監視回路５１の出力を反転させるときのしきい値電圧を決めるための定電圧である。
【００７０】
前述したように、電流監視回路５１は、第３の基準電圧Ｖrefをブリーダ抵抗Ｒ１５〜Ｒ１７によって制御開始時のしきい値電圧又は制御停止時のしきい値電圧に分圧し、この分圧電圧Ｖｂと電流検出抵抗Ｒ１１により電圧換算され増幅回路５１１により増幅された検出電圧Ｖａとを電流監視比較判定回路５１２によって比較することにより、Low/Highの信号を出力する。
【００７１】
図１９に示されるように、図６に図示したＡＣアダプタ１０Ａを使用して二次電池２１の充電を行っているときに、負荷電流が急に増加したとする。この場合、ＡＣアダプタ１０Ａは電流を流す能力を持っているので、充電電流Ｉcを流すことができるが、−ΔＩを検出しないので、アダプタ電圧ＶＡＤＰは低下し続ける。この為、一旦増加した負荷電流が、増加する前に−ΔＩを検出すべき電流まで低下し、−ΔＩを検出した後に充電電流Ｉcが増加する。
【００７２】
このように負荷電流を必要としているときに、図６に図示したＡＣアダプタ１０Ａは、十分な充電電流Ｉcを流せていない。
【００７３】
次に、図２０および図２１を参照して、「負荷電流が急に増加する」場合について説明する。「負荷電流が急に増加する」とは、本体メイン回路２３が待ち受け状態から着信などの状態があったときの負荷電流の増加をいう。
【００７４】
これは、従来のＡＣアダプタ１０であるか、本発明の第１の実施の形態に係るＡＣアダプタ１０Ａであるかに関係なく、本体２０側の動作変化である。本体メイン回路２３が大きな負荷として働いたとき、二次電池２１とＡＣアダプタ１０の両方から負荷電流を流すことが必要となる。二次電池２１から電流が流れると、電池電圧ＶＢＡＴＴは低下する。これにより、充電制御回路２２は充電電流Ｉcをより大きくする方向に動作する。これが結果的にＡＣアダプタ１０の充電電流（負荷電流）Ｉcの増加を招くことになる。
【００７５】
次に、図２２および図２３を参照して、図１９に示した制御の一周期を拡大した状態で説明する。図２２は、負荷電流Ｉcが増加しない通常の制御状態を示し、図２３は途中で負荷電流Ｉcが増加したときの状態を示す。
【００７６】
図２２に示されるように、図６に図示した−ΔＩ検出回路４５は、検出直後の充電電流値をもとに−ΔＩ検出レベルを確定している。アダプタ電圧ＶＡＤＰと電池電圧ＶＢＡＴＴとの間の電位差Ｖceが必要最低限以上あるので、ＡＣアダプタ１０Ａは破線まで充電電流Ｉcを流すことが可能である。しかしながら、二次電池２１の充電に必要な充電電流Ｉcは図２２の実線で示す値まででよいので、これ以上の大きい充電電流Ｉcは流れない。アダプタ電圧ＶＡＤＰと電池電圧ＶＢＡＴＴとの間の電位差Ｖceが、充電制御素子Ｑが電流を流せる必要最低限のＶce電圧以下となると、ＡＣアダプタ１０Ａは充電電流Ｉcを流せなくなる。
【００７７】
図２３を参照して、負荷電流Ｉｃが途中で増加した場合の動作について説明する。負荷がかかると、電池電圧ＶＢＡＴＴが低下する。負荷がかかり、電池電圧ＶＢＡＴＴが低下すると、アダプタ電圧ＶＡＤＰと電池電圧ＶＢＡＴＴとの間の電位差Ｖceが大きくなるので、ＡＣアダプタ１０Ａが流せる充電電流Ｉｃの値が大きくなる。ＡＣアダプタ１０Ａが供給する充電電流Ｉcが減少し、本体メイン回路２３の負荷電流として不足する分は、二次電池２１が供給することになる。すなわち、電池電圧ＶＢＡＴＴが低下する。
【００７８】
負荷電流が増加後、−ΔＩ検出回路４５が初めて−ΔＩを検出すると、ＡＣアダプタ１０Ａはアダプタ電圧ＶＡＤＰを上昇させる。−ΔＩ検出回路４５が一度−ΔＩを検出すると、−ΔＩ検出レベルが上昇する。そのため、充電電流Ｉcが必要な電流値まで上昇していく。
【００７９】
そこで、図８に示すＡＣアダプタ１０Ｂは、−ΔＩ検出回路４５Ａの他に、＋ΔＩ検出回路５４、第１の比較電圧生成回路５５、第２の比較電圧生成回路５７、および比較値取込回路５７を備えている。
【００８０】
すなわち、図２４に示されるように、ＡＣアダプタ１０Ｂは、負荷電流Ｉcが急に増加した場合、その増加電流を検出(＋ΔＩ検出)して、−Ｉ検出比較値を増加電流に追従させ、充電電流Ｉｃの低下を抑えている。
【００８１】
図２５に＋ΔＩ検出回路５４を示す。＋ΔＩ検出回路５４は、電流取り込みホールド部５４１と、＋ΔＩ検出電圧設定部５４２と、反転加算回路５４３と、反転回路５４４と、＋ΔＩ検出部５４５とから構成されている。
【００８２】
電流取り込みホールド回路５４１は、スイッチＳＷと、コンデンサＣ１と、演算増幅器Ａ３とから構成されている。スイッチＳＷは、＋ΔＩ検出または−ΔＩ検出による電流取り込みトリガに応答してオンし、そのときの電流値をコンデンサＣ１で保持（ホールド）する。コンデンサＣ１のホールド電圧は演算増幅器Ａ３の非反転入力端子に供給される。演算増幅器Ａ３の出力端子は、演算増幅器Ａ３の反転入力端子と接続されている。このような構成の電流取り込みホールド回路５４１は、＋ΔＩ検出または−Δ検出直後に取り込まれホールドされた充電電流値（電流取り込みホールド値）を出力する。
【００８３】
＋ΔＩ検出電圧設定部５４２は、抵抗Ｒ２１，Ｒ２２、Ｒ２３と、アナログスイッチＳＷ２と、演算増幅器Ａ４とから構成されている。抵抗Ｒ２１〜Ｒ２３は、基準電圧Ｖref端子と基準電圧（Ｖref／２）端子との間に直列に接続されている。抵抗Ｒ２２とＲ２３との接続点にアナログスイッチＳＷ２の接点１が接続され、アナログスイッチＳＷ２の接点２は基準電圧（Ｖref／２）端子に接続されている。アナログスイッチＳＷ２の制御端子は後述する＋ΔＩ検出部５４５の出力端子に接続されている。アナログスイッチＳＷ２は制御端子Highレベルでスイッチon、制御端子Lowレベルでスイッチoffの論理とする。抵抗Ｒ２１とＲ２２との接続点は演算増幅器Ａ４の非反転入力端子に接続されている。演算増幅器Ａ４の出力端子は演算増幅器Ａ４の反転入力端子に接続されている。このような構成の＋ΔＩ検出電圧設定部５４２は、＋ΔＩ検出電圧レベル（＋ΔＩ検出電圧設定値）を設定する。アナログスイッチＳＷ２は、設定値付近の電流増加で出力が暴れないように、ヒステリシスを設けるためのものである。尚、この＋ΔＩ検出電圧設定部５４２の増幅率は１倍である。
【００８４】
反転加算回路５４３は、抵抗Ｒ２４、Ｒ２５、Ｒ２６と演算増幅器Ａ５とから構成されている。演算増幅器Ａ５の反転入力端子は、抵抗Ｒ２４を介して電流取り込みホールド部５４１の出力端子に接続されると共に、抵抗Ｒ２５を介して＋ΔＩ検出電圧設定部５４２の出力端子に接続されている。演算増幅器Ａ５の非反転入力端子は基準電圧（Ｖref／２）端子に接続されている。演算増幅器Ａ５の出力端子は抵抗Ｒ２６を介して演算増幅器Ａ５の反転入力端子に接続されている。このような構成の反転加算回路５４３は、電流取り込みホールド値に＋ΔＩ検出電圧設定値を加算して、反転加算した値を出力する。何故なら、演算増幅器の特性上、位相が反転するからである。尚、この反転加算回路５４３の増幅率は１倍である。
【００８５】
反転回路５４４は、抵抗Ｒ２７、Ｒ２８と演算増幅器Ａ６とから構成されている。演算増幅器Ａ６の反転入力端子は抵抗Ｒ２７を介して反転加算回路５４３の出力端子に接続されている。演算増幅器Ａ６の非反転入力端子は基準電圧（Ｖref／２）端子に接続されている。演算増幅器Ａ６の出力端子は抵抗Ｒ２８を介して演算増幅器Ａ６の反転入力端子に接続されている。このような構成の反転回路５４４は、反転加算回路５４３から出力される反転加算した値を再度反転して、加算した値を出力する。すなわち、前段で位相が反転しているので、反転回路５４４は再度反転させている。この反転回路５４４から出力される加算した値は＋ΔＩの検出電圧比較値である。尚、この反転回路５４４の増幅率も１倍である。
【００８６】
＋ΔＩ検出部５４５は、演算増幅器Ａ７と抵抗Ｒ２９とから構成されている。演算増幅器Ａ７の反転入力端子には、充電電流Ｉcの電流波形（電流値）が供給される。演算増幅器Ａ７の非反転入力端子には、反転回路５４４から＋ΔＩの検出電圧比較値が供給される。また、演算増幅器Ａ７の出力端子は抵抗Ｒ２９を介して＋ΔＩ検出電圧設定部５４２のアナログスイッチＳＷ２の制御端子に接続されている。このような構成の＋ΔＩ検出部５４５は、＋ΔＩ検出電圧比較値と充電電流Ｉcの電流値とを比較して、＋ΔＩ検出信号を出力する。
【００８７】
図２６に、図２５に図示した＋ΔＩ検出回路５４を追加したＡＣアダプタ１０Ｂの動作を示す。ＡＣアダプタ回路１０Ｂは、＋ΔＩ検出回路５４で＋ΔＩを検出した後、電流取り込みを行い、＋ΔＩ及び−ΔＩ検出レベルを再度確定させる。したがって、負荷電流が急に増加しても十分な充電電流Ｉcを流すことができる。
【００８８】
とにかく、＋ΔＩ検出回路５４は、充電電流Ｉcが付加設定電流値以上に増加したことを検出して付加検出信号を出力する付加検出手段として働く。そして、比較値取込回路５７と第１の比較電圧生成回路５５との組み合わせは、付加検出信号に応答して、検出手段(−ΔＩ検出回路４５Ａ)における設定電流値を変更する手段として動作する。
【００８９】
次に、図２７を参照して、図８に図示したＡＣアダプタ１０Ｂの−ΔＩ検出回路４５Ａの他に、＋ΔＩ検出回路５４、第１の比較電圧生成回路５５、第２の比較電圧生成回路５６、および比較値取込回路５７の動作について説明する。
【００９０】
比較値取込回路５７の出力電圧を基に、第１の比較電圧生成回路５５は−ΔＩ検出比較電圧を生成し、第２の比較電圧生成回路５６は＋ΔＩ検出比較電圧を生成する。
【００９１】
比較値取込回路５７は、−Δ検出信号または＋Δ検出信号に応答して、比較値取込期間信号を生成し、その期間だけ充電電流Ｉｃの電流値を取り込み、その期間以外は取り込んだ電圧を維持する回路である。この取り込んだ電圧は、第１の比較電圧生成回路５５および第２の比較電圧生成回路５６の参照電圧でもある。
【００９２】
第１の比較電圧生成回路５５は、比較値取込回路５７で取り込んだ電圧から−ΔＩに相当する電圧だけ低い−ΔＩ検出比較電圧を出力する。第２の比較電圧生成回路５６は、比較値取込回路５７で取り込んだ電圧から＋ΔＩに相当する電圧だけ高い＋ΔＩ検出比較電圧を出力する。
【００９３】
次に、図２８を参照して、＋ΔＩ検出回路５４から＋Ｉ検出信号が出力されたときの動作について説明する。
【００９４】
負荷電流Ｉcが増加すると、＋ΔＩ検出回路５４から＋ΔＩ検出信号が出力され、比較値取込回路５７へ供給される。この＋ΔＩ検出信号に応答して、比較値取込回路５７は比較値取込期間信号を生成し、その期間だけ電流値を取り込み、その期間以外は取り込んだ電圧を維持する。第２の比較電圧生成回路５６は、比較値取込回路５７で取り込んだ電圧から＋ΔＩに相当する電圧だけ高い＋ΔＩ検出比較電圧を出力する。
【００９５】
ＡＣアダプタ１０Ｂを使用して二次電池２１の充電をしているときに、パルス的に負荷が増加したとする。この場合、図２９に示されように、ＡＣアダプタ１０Ｂにおいては、−ΔＩ検出回路４５Ａは、パルス電流の減少のタイミングで−ΔＩを検出する。パルス周期が短くなった場合、アダプタ電圧ＶＡＤＰが徐々に上昇し、過電圧となってしまう。
【００９６】
次に、図３０を参照して、パルス負荷の動作についてさらに詳細に説明する。最初に「パルス的に負荷が増加する」ことについて説明する。図２０を参照して説明したように、携帯電話機２０の本体メイン回路２３が着信などで負荷電流が増加したとする。この負荷電流は、携帯電話機２０の状態によりさまざまに変化することを想定しておく必要がある。したがって、「パルス的に負荷が増加する」とは、データ送信等で、本体メイン回路２３が負荷として働いたり働かなかったり（換言すれば、＋ΔＩの設定値より大きくなったり小さくなったり）した場合のことを指す。
【００９７】
次に、「パルス電流の減少のタイミングで−ΔＩを検出する」について説明する。前述したように、ＡＣアダプタ１０Ｂでは、＋ΔＩ検出または−ΔＩ検出直後に充電電流を取り込みホールドし、この値から＋ΔＩ検出レベル、−ΔＩ検出レベルを再設定している。したがって、「パルス電流の減少のタイミングで−ΔＩを検出する」とは、負荷電流の増加分が数ミリ秒後になくなった場合、ＡＣアダプタ１０Ｂの充電電流Ｉcが−ΔＩ検出レベル以下になり、−ΔＩ検出をすることをいう。
【００９８】
−ΔＩを検出すると、設定電圧分のアダプタ電圧ＶＡＤＰを上昇させるので、充電制御素子ＱのＶceが必要最小限になる前に、増加分の負荷電流がなくなる。そのため、負荷の増加が無い状態の制御周期よりも短い周期でパルス負荷が取られた場合、アダプタ電圧ＶＡＤＰが徐々に上昇し、パルス負荷が継続すると、過電圧となってしまう。
【００９９】
次に、「パルス周期が短くなった場合」について説明する。負荷電流は携帯電話機２０の状態によりさまざまに変化する。パルス周期が短くなると、アダプタ電圧ＶＡＤＰは、アダプタ電圧ＶＡＤＰの降下勾配が一定でその下降時間は短くなり、上昇電圧が設定値（一定）なので、上昇する度合いが大きくなる。従って、アダプタ電圧ＶＡＤＰは早く過電圧になっていく。
【０１００】
そこで、ＡＣアダプタ１０Ｂは、更に、過電圧検出回路５８と過電圧防止回路５２とを備えている。
【０１０１】
過電圧検出回路５８と過電圧防止回路５２とを備えることにより、図３１に示されるように、アダプタ電圧ＶＡＤＰの上昇があるしきい値以上になった場合、−ΔＩ検出に起因するアダプタ電圧ＶＡＤＰの上昇をさせないようにする。これにより、パルス的な負荷が印加されても、過電圧にならない。とにかく、過電圧検出回路５８と過電圧防止回路５２との組合せは、アダプタ電圧ＶＡＤＰが所定のしきい値以上になった場合に、検出信号によるアダプタ電圧ＶＡＤＰの上昇を抑制する手段として働く。
【０１０２】
図３２に過電圧検出回路５８と過電圧防止回路５２の例を示す。過電圧検出回路５８は、抵抗Ｒ３１、Ｒ３２と、演算増幅器Ａ８とから構成されている。抵抗Ｒ３１、Ｒ３２は基準電圧Ｖrefを分圧して、分圧した電圧を過電圧検出しきい値として演算増幅器Ａ８の非反転入力端子に供給する。演算増幅器Ａ８の反転入力端子には第２の基準電圧発生回路４４Ｂから第２の基準電圧が供給される。
【０１０３】
このような構成の過電圧検出回路５８は、過電圧検出しきい値と第２の基準電圧とを比較し、Low/Highの過電圧検出回路出力信号を出力する。
【０１０４】
図示の過電圧防止回路５２は、アンドゲートＧ１から構成されている。過電圧防止回路５２は、過電圧検出回路出力信号がHighのときは、−ΔＩ検出回路４５Ａから出力される−ΔＩ検出信号をそのまま過電圧防止回路出力信号として出力する。一方、過電圧検出回路出力信号がLowのときは、過電圧防止回路５２は−ΔＩ検出信号を出力しない。
【０１０５】
過電圧防止回路出力信号が入力された時、第２の基準電圧発生回路４４Ｂは第２の基準電圧を設定電圧だけ上昇させる。過電圧防止回路出力信号が入力された後は、第２の基準電圧発生回路４４Ｂは次の過電圧防止回路出力信号が入力されるまで、再度徐々に第２の基準電圧を低下させる。
【０１０６】
図３３にＡＣアダプタ１０Ｂの動作を示す。第２の基準電圧が過電圧検出しきい値を超えると、過電圧検出出力信号がHighからLowになる。過電圧検出出力信号がLowの期間、過電圧防止回路５２は過電圧防止回路出力信号を出力しない。
【０１０７】
以上、本発明について実施の形態によって例を挙げて説明してきたが、本発明は上述した実施の形態に限定しないのは勿論である。たとえば、上述した実施の形態では、本発明を携帯電話機用ＡＣアダプタに適用した場合を例に挙げて説明したが、携帯電話機以外についても充電回路へ電力供給するＡＣアダプタにも適用できるのは勿論である。
【０１０８】
また、本発明はＡＣアダプタのアダプタ電圧ＶＡＤＰを上昇／下降させ、充電電流Ｉcの変化をフィードバックさせてアダプタ電圧ＶＡＤＰを制御する方式を要旨としている。したがって、上述した実施の形態では電圧制御回路４２Ａに供給する基準電圧を変化させた方法で説明しているが、この基準電圧を固定して抵抗器Ｒ３およびＲ４の比Ｒ３／Ｒ４の比率を変えてアダプタ電圧ＶＡＤＰを変化させても良い。更には、上述した実施の形態では、アダプタ電圧ＶＡＤＰを徐々に下降させて充電電流Ｉcが急激に減少するのを検出する方法で説明しているが、アダプタ電圧ＶＡＤＰを徐々に上昇させて充電電流Ｉcが急激に増加するのを検出する方法を用いても良い。
【図面の簡単な説明】
【０１０９】
【図１】ＡＣアダプタが二次電池を内蔵する本体に接続された状態を示すブロック図である。
【図２】ＡＣアダプタのＶ−Ｉ特性を示す特性図である。
【図３】従来のＡＣアダプタの構成を示すブロック図である。
【図４】図３に示す従来のＡＣアダプタの充電特性を示す図である。
【図５】図３に示す従来のＡＣアダプタにおいて、定電流充電領域から定電圧充電領域に切り変わるときに、電圧の跳ね上がりが発生する理由を説明するための図である。
【図６】本発明の第１の実施の形態に係るＡＣアダプタの構成を示すブロック図である。
【図７】図６に示すＡＣアダプタの充電特性を示す図である。
【図８】本発明の第２の実施の形態に係るＡＣアダプタの二次側回路の構成を示すブロック図である。
【図９】図６に示すＡＣアダプタによる繰り返し制御を、満充電検出時以後も続けた場合のＡＣアダプタの充電特性を示す図である。
【図１０】図８に示すＡＣアダプタの充電特性を示す図である。
【図１１】二次電池を充電する場合の、定電流充電モードと満充電検出を行わない定電圧充電モードとを説明するための充電特性を示す図である。
【図１２】二次電池を充電する場合の、定電流充電モードと満充電検出を行う定電圧充電モードとを説明するための充電特性を示す図である。
【図１３】図６に図示されているＡＣアダプタを使用して満充電を検出するまで、繰り返し制御を行った場合の問題点を説明するための、図６のＡＣアダプタの充電特性を示す図である。
【図１４】図８に示すＡＣアダプタの充電特性を示す図である。
【図１５】図８に示すＡＣアダプタの充電特性を示す図である。
【図１６】図８に示すＡＣアダプタに使用される電流監視回路の構成を示すブロック図である。
【図１７】図１６に示した電流監視回路の動作を説明するために、充電電流と電流監視回路出力とを示すタイムチャートである。
【図１８】図８に示すＡＣアダプタにおける、電流監視回路出力、第２の基準電圧、および過電圧防止回路出力（−ΔＩ検出信号）の関係を説明するためのタイムチャートである。
【図１９】図６に図示されているＡＣアダプタにおける問題点を説明するための、図６のＡＣアダプタの充電特性を示す図である。
【図２０】負荷電流が急に増加することを説明するための、ＡＣアダプタが二次電池を内蔵する本体に接続された状態を示すブロック図である。
【図２１】負荷電流が急に増加した場合の充電特性を示す図である。
【図２２】負荷電流が増加しない通常の制御状態を説明するための充電特性を示す図である。
【図２３】途中で負荷電流が増加した場合の、図６のＡＣアダプタにおける問題点を説明するための充電特性を示す図である。
【図２４】図８のＡＣアダプタの充電特性を示す図である。
【図２５】図８に示すＡＣアダプタに使用される＋ΔＩ検出回路の構成を示すブロック図である。
【図２６】図８のＡＣアダプタの充電特性を示す図である。
【図２７】図８のＡＣアダプタの、−ΔＩ検出回路、＋ΔＩ検出回路、第１の比較電圧生成回路、第２の比較電圧生成回路、および比較値取込回路の動作を説明するためのタイムチャートである。
【図２８】図８のＡＣアダプタにおいて、＋ΔＩ検出回路から＋ΔＩ検出信号を受けた比較値取込回路の動作を説明するためのタイムチャートである。
【図２９】図８のＡＣアダプタにおいて、過電圧検出回路と過電圧防止回路とがない場合の、パルス的な負荷が印加された状態の充電特性を示す図である。
【図３０】図２９の一部を拡大して示す図である。
【図３１】図８のＡＣアダプタにおいて、パルス的な負荷が印加された状態の充電特性を示す図である。
【図３２】図８のＡＣアダプタに使用されるか電圧検出回路と過電圧防止回路の構成を示すブロック図である。
【図３３】図８のＡＣアダプタにおいて、パルス的な負荷が印加されたときの動作を説明するためのタイムチャートである。
【符号の説明】
【０１１０】
１０Ａ、１０Ｂ    ＡＣアダプタ
２０    本体（携帯電話機）
２１    二次電池
２２    充電制御回路
３１    整流／平滑回路
３２    スイッチング制御回路
３３    ＳＷ素子
４１    整流／平滑回路
４２Ａ    電圧制御回路
４３    定電流制御回路
４４    基準電圧発生回路（第１の基準電圧発生回路）
４４Ａ、４４Ｂ    第２の基準電圧発生回路
４５、４５Ａ    −ΔＩ検出回路
５１    電流監視回路
５２    過電圧防止回路
５３    第３の基準電圧発生回路
５４    ＋ΔＩ検出回路
５５    第１の比較電圧生成回路
５６    第２の比較電圧生成回路
５７    比較値取込回路
Ｔ    トランス
Ｎp    一次巻線
Ｎs    二次巻線
ＮＢ    補助巻線
【図１】
2005045994.tif 000003
【図２】
2005045994.tif 000004
【図３】
2005045994.tif 000005
【図４】
2005045994.tif 000006
【図５】
2005045994.tif 000007
【図６】
2005045994.tif 000008
【図７】
2005045994.tif 000009
【図８】
2005045994.tif 000010
【図９】
2005045994.tif 000011
【図１０】
2005045994.tif 000012
【図１１】
2005045994.tif 000013
【図１２】
2005045994.tif 000014
【図１３】
2005045994.tif 000015
【図１４】
2005045994.tif 000016
【図１５】
2005045994.tif 000017
【図１６】
2005045994.tif 000018
【図１７】
2005045994.tif 000019
【図１８】
2005045994.tif 000020
【図１９】
2005045994.tif 000021
【図２０】
2005045994.tif 000022
【図２１】
2005045994.tif 000023
【図２２】
2005045994.tif 000024
【図２３】
2005045994.tif 000025
【図２４】
2005045994.tif 000026
【図２５】
2005045994.tif 000027
【図２６】
2005045994.tif 000028
【図２７】
2005045994.tif 000029
【図２８】
2005045994.tif 000030
【図２９】
2005045994.tif 000031
【図３０】
2005045994.tif 000032
【図３１】
2005045994.tif 000033
【図３２】
2005045994.tif 000034
【図３３】
2005045994.tif 000035